(57)【要約】【課題】顔の位置に因らず適切な撮影レンズの焦点調節を行う。【解決手段】シャッタボタンの半押し操作により、顔抽出回路は、画像から顔領域の抽出を開始する。顔領域が抽出されると、ＣＰＵは、モータドライバを介してステッピングモータを駆動し、ＬＥＤの補助光照射方向を被写体の顔に向けるとともに、ＬＥＤドライバを介してＬＥＤから補助光を発させる。補助光は、被写体の顔に照射され、顔領域とその周りとのコントラストを高める。ＡＦ検出回路は、周りとのコントラストが高められた顔領域を合焦評価領域としてフォーカス制御を行い、フォーカスレンズの合焦位置を決定する。ＣＰＵは、ＡＦ検出回路によって決定した合焦位置に基づいて、モータドライバを介して合焦用レンズモータを駆動してフォーカスレンズを合焦位置に移動させ、ピントを調整する。シャッタボタンの全押し操作により、撮影が実行され、デジタルデータが記憶される。【選択図】図１０
2008216828.tif 000002
【特許請求の範囲】
【請求項１】
撮影レンズから撮像素子に被写体光を入射させ、前記撮像素子で光電変換して得られる画像信号を記憶するデジタルカメラにおいて、
前記画像信号から被写体の顔を抽出する顔抽出手段と、
被写体に向けて補助光を照射する補助光照射手段と、
前記補助光発光手段の補助光照射方向を、前記顔抽出手段によって抽出された顔に向ける照射方向調節手段と、
前記顔抽出手段によって抽出された顔に基づいて合焦位置を特定し、前記撮影レンズの焦点を調節する焦点調節手段とを備えたことを特徴とするデジタルカメラ。
【請求項２】
前記顔抽出手段が顔を抽出することができない場合に、前記補助光照射手段が補助光を照射するとともに前記顔抽出手段が再度顔を抽出することを特徴とする請求項１記載のデジタルカメラ。
【請求項３】
前記画像信号をスルー画像として表示するディスプレーと、
前記ディスプレーのスルー画像を利用して顔を択一的に選択させる顔選択手段とを備え、
前記顔抽出手段が複数の顔を抽出し、前記顔選択手段によって顔が択一的に選択された場合に、前記照射方向調節手段は、前記補助光発光手段の補助光照射方向を、選択された顔に向けることを特徴とする請求項１又は２記載のデジタルカメラ。
【請求項４】
顔が移動した場合に、前記照射方向調節手段は、前記補助光発光手段の補助光照射方向を、移動した顔に向けることを特徴とする請求項１乃至３何れか記載のデジタルカメラ。
【請求項５】
前記補助光が照射される顔の部位を予め設定しておく照射位置設定手段を備えたことを特徴とする請求項１乃至４何れか記載のデジタルカメラ。
【請求項６】
撮影レンズから撮像素子に被写体光を入射させ、前記撮像素子で光電変換して得られる画像信号を記憶する撮影方法において、
前記画像信号から被写体の顔を抽出する第１顔抽出ステップと、
抽出された顔に向けて補助光を照射する補助光照射ステップと、
補助光照射の際に得られる前記画像信号から被写体の顔を抽出する第２顔抽出ステップと、
前記第２顔抽出ステップで抽出された顔に基づいて合焦位置を決定し、前記撮影レンズの焦点を調節する焦点調節ステップとを有することを特徴とする撮影方法。
【請求項７】
前記第１顔抽出ステップで顔が抽出されない場合、補助光を照射しながら前記第１顔抽出ステップを繰り返すことを特徴とする請求項６記載の撮影方法。
【請求項８】
前記第１顔抽出ステップで複数の顔が抽出された場合、顔を択一的に選択させ、前記補助光照射ステップでは、選択された顔に向けて補助光を照射し、前記焦点調節ステップでは、選択された顔に基づいて合焦位置を決定し、前記撮影レンズの焦点を調節することを特徴とする請求項６又は７記載の撮影方法。
【請求項９】
前記画像信号が記憶されるまでに顔が前記補助光照射ステップの際の位置から移動している場合、前記補助光照射ステップと、前記第２顔抽出ステップと、前記焦点調節ステップとを繰り返すことを特徴とする請求項６乃至８何れか記載の撮影方法。
【請求項１０】
補助光が照射される顔の部位を予め設定しておくことを特徴とする請求項６乃至９何れか記載の撮影方法。
【発明の詳細な説明】
【技術分野】
【０００１】
本発明は、補助光発光部を備えたデジタルカメラ、及びそれを用いた撮影方法に関する。
【背景技術】
【０００２】
一般に普及している撮像装置として、ＣＭＯＳ型やＣＣＤ型のイメージセンサを用いたデジタルカメラがある。このようなイメージセンサを用いたデジタルカメラにおいては、イメージセンサ上に結像された被写体像の結像状態を評価しながら撮影レンズの焦点調節（ピント調節）を行うのが一般的である。この結像状態の評価は、イメージセンサから画素毎に得られる画像信号が用いられ、例えば、隣接画素間の信号レベルの差分を積算した評価値が最も高くなるように、撮影レンズの焦点調節が行われている。また、この他に、被写体画像から人物の顔の領域を特定した後、被写体の顔部分を利用して撮影レンズの焦点調節を行うものも提案されている（例えば、特許文献１参照）。
【０００３】
このような、イメージセンサからの撮像信号に基づいて撮影レンズの焦点調節を行う場合、夜間や暗い場所など被写体輝度が全体的に低くなる撮影条件下では、被写体自体が低コントラストとなることから、撮影レンズの焦点調節が適切に行われないことが多い。このような背景から、カメラ本体に補助光投光器を内蔵し、撮影レンズの焦点調節時に、補助光投光器から被写体に向けて補助光を照射することが提案されている（例えば、特許文献２参照）。これによれば、補助光を被写体に向けて照射することで被写体輝度を高くでき、撮影レンズの焦点調節が適切に行えるようになる。
【特許文献１】特開２００４−３１７６９９号公報
【特許文献２】特開２００３−０９８５７９号公報
【発明の開示】
【発明が解決しようとする課題】
【０００４】
しかしながら、補助光投光器は、撮影レンズに対する照射角度が一定になるようカメラに固定されているので、必ずしも顔を中心に補助光を照射することは限らない。顔を中心として補助光が照射されない場合、顔とその周りとのコントラストを高めることができず、適切な撮影レンズの焦点調節を行うことはできない。
【０００５】
本発明は、上記課題を解決するためのものであり、顔の位置に因らず適切な撮影レンズの焦点調節を行うことを目的とする。
【課題を解決するための手段】
【０００６】
上記目的を達成するために、本発明のデジタルカメラは、撮影レンズから撮像素子に被写体光を入射させ、撮像素子で光電変換して得られる画像信号を記憶するデジタルカメラであって、画像信号から被写体の顔を抽出する顔抽出手段と、被写体に向けて補助光を照射する補助光照射手段と、補助光発光手段の補助光照射方向を、顔抽出手段によって抽出された顔に向ける照射方向調節手段と、顔抽出手段によって抽出された顔に基づいて合焦位置を特定し、撮影レンズの焦点を調節する焦点調節手段とを備えたことを特徴とする。
【０００７】
なお、顔抽出手段が顔を抽出することができない場合に、補助光照射手段が補助光を照射するとともに顔抽出手段が再度顔を抽出することが好ましい。
【０００８】
また、画像信号をスルー画像として表示するディスプレーと、ディスプレーのスルー画像を利用して顔を択一的に選択させる顔選択手段とを備え、顔抽出手段が複数の顔を抽出し、顔選択手段によって顔が択一的に選択された場合に、照射方向調節手段は、補助光発光手段の補助光照射方向を、選択された顔に向けることが好ましい。
【０００９】
また、顔が移動した場合に、照射方向調節手段は、補助光発光手段の補助光照射方向を、移動した顔に向けることが好ましい。
【００１０】
また、補助光が照射される顔の部位を予め設定しておく照射位置設定手段を備えたことが好ましい。
【００１１】
本発明の撮影方法は、撮影レンズから撮像素子に被写体光を入射させ、撮像素子で光電変換して得られる画像信号を記憶する撮影方法であって、画像信号から被写体の顔を抽出する第１顔抽出ステップと、抽出された顔に向けて補助光を照射する補助光照射ステップと、補助光照射の際に得られる画像信号から被写体の顔を抽出する第２顔抽出ステップと、第２顔抽出ステップで抽出された顔に基づいて合焦位置を決定し、撮影レンズの焦点を調節する焦点調節ステップとを有することを特徴とする。
【００１２】
なお、第１顔抽出ステップで顔が抽出されない場合、補助光を照射しながら第１顔抽出ステップを繰り返すことが好ましい。
【００１３】
また、第１顔抽出ステップで複数の顔が抽出された場合、顔を択一的に選択させ、補助光照射ステップでは、選択された顔に向けて補助光を照射し、焦点調節ステップでは、選択された顔に基づいて合焦位置を決定し、撮影レンズの焦点を調節することが好ましい。
【００１４】
また、画像信号が記憶されるまでに顔が補助光照射ステップの際の位置から移動している場合、補助光照射ステップと、第２顔抽出ステップと、焦点調節ステップとを繰り返すことが好ましい。
【００１５】
また、補助光が照射される顔の部位を予め設定しておくことが好ましい。
【発明の効果】
【００１６】
本発明のデジタルカメラによれば、画像信号から被写体の顔を抽出する顔抽出手段と、補助光発光手段の補助光照射方向を、抽出された顔に向ける照射方向調節手段とを備えたので、顔を中心に補助光を照射することができ、顔とその周りとのコントラストを高め、より適切な撮影レンズの焦点調節を行うことができる。
【００１７】
また、顔抽出手段が顔を抽出することができない場合に、補助光照射手段が補助光を照射するとともに顔抽出手段が再度顔を抽出するので、夜間や暗い場所など被写体輝度が全体的に低くなり被写体自体が低コントラストとなる撮影条件下においても、被写体輝度を高くでき、撮影レンズの焦点調節を行うことができる。
【００１８】
また、画像信号をスルー画像として表示するディスプレーと、ディスプレーのスルー画像を利用して顔を択一的に選択させる顔選択手段とを備えたので、顔抽出手段が複数の顔を抽出した場合に、顔を択一的に選択させることができ、補助光発光手段の補助光照射方向を、選択された顔に向けることができる。これにより、選択された顔に基づいて撮影レンズの焦点調節を行うことができる。
【００１９】
また、顔が移動した場合に、照射方向調節手段が補助光発光手段の補助光照射方向を、移動した顔に向けるので、移動後の顔に基づいて撮影レンズの焦点調節を行うことができる。
【００２０】
また、補助光が照射される顔の部位を予め設定しておく照射位置設定手段を備えたので、補助光が照射される顔の部位を目以外に設定しておくことで、補助光を目に入射させずに済む。これにより、被写体中の人物は補助光を眩しいと感じることがない。
【発明を実施するための最良の形態】
【００２１】
以下、本発明のデジタルカメラ１１について、図面を参照しながら説明する。図１に示すように、デジタルカメラ１１の前面には、撮影レンズ１２が組み込まれたレンズ鏡筒１３、フラッシュ発光部８６（図７参照）を保護する透明なフラッシュ窓１４、及び補助光発光ユニット３１（図３及び図４参照）を保護する透明な補助光窓１５などが設けられている。
【００２２】
デジタルカメラ１１の上面には、デジタルカメラ１１の電源状態を切り替える電源ボタン１６、シャッタレリーズ操作に用いられるシャッタボタン１７、及び各種モードを切り替える機能モードダイヤル１８の各種操作部が設けられている。モードには、静止画を記録する撮影モード、記録した静止画を再生する再生モード、及び手動により設定値を変更するメニューモードなどがある。
【００２３】
レンズ鏡筒１３は沈胴式になっており、デジタルカメラ１１が電源ＯＦＦ状態にある際に、デジタルカメラ１１の前面に設けられた鏡筒収納部１９内に収納され、電源ＯＮとともにデジタルカメラ１１の前面から突出して、広角端で停止する。
【００２４】
また、デジタルカメラ１１の背面には、図２に示すように、液晶表示部（ＬＣＤ）２１の他、ズームボタン２２、十字ボタン２３、及び決定ボタン２４などの操作部が設けられている。ＬＣＤ２１には、メニューモードでは各種設定画面が表示され、撮影モードの撮影待機状態ではスルー画像が表示される。ユーザは、ＬＣＤ２１に表示されるスルー画像を見ながらシャッタボタン１７を押圧して撮影を実行する。
【００２５】
デジタルカメラ１１の内部には、被写体に向けてフラッシュ光を照射するフラッシュ発光部８６（図７参照）が組み込まれており、フラッシュ光は、フラッシュ窓１４を透過して被写体に照射される。フラッシュ発光部８６の発光モードとしては、例えば、被写体輝度が低いときに自動的にフラッシュ発光させる自動発光モード、被写体輝度に係わらずフラッシュ発光させる強制発光モード、フラッシュ発光を禁止した発光禁止モードなどがある。これらモードは、十字ボタン２３及び決定ボタン２４を操作することによって選択される。
【００２６】
また、デジタルカメラ１１の内部には、被写体に向けて補助光を照射する補助光発光ユニット３１（図３及び図４参照）が組み込まれており、補助光は、補助光窓１５を透過して被写体に照射される。
【００２７】
補助光発光ユニット３１は、図３及び図４に示すように、発光部３２、回転テーブル３３、支持テーブル３４、ステッピングモータ３５，３６、及び動力伝達部３７，３８から構成されている。発光部３２は、補助光を発するＬＥＤ９１（図７参照）と、このＬＥＤ９１を内部に保持する筒状の筐体３９と、ＬＥＤ９１が発する補助光を透過させて集光する集光レンズ４０とからなる。筐体３９周面には、水平方向の回転軸となる突起部４１，４２が形成され、回転テーブル３３には、突起部４１，４２の軸受けとなる軸受け孔４３ａ，４４ａが形成された軸受け部４３，４４が形成されている。突起部４１，４２が軸受け孔４３ａ，４４ａに回動自在に組み込まれることにより、発光部３２は、図５（Ａ）及び図５（Ｂ）に示すように、集光レンズ４０が上下に傾く向きに揺動自在である。
【００２８】
突起部４１の先端には、ピニオン４５が取り付けられ、回転テーブル３３には、ピニオン４６が取り付けられたステッピングモータ３５が設けられている。ピニオン４５及び４６は、動力伝達部３７を構成し、互いに噛み合うことで、ステッピングモータ３５の動力を発光部３２に伝達する。これにより、発光部３２は、ステッピングモータ３５の駆動に応じて、集光レンズ４０が上下方向に傾く向きに揺動する。なお、ステッピングモータ３５の駆動は、顔抽出回路９６（図７参照）の処理結果に基づく。
【００２９】
回転テーブル３３の下面には、鉛直方向の回転軸となる突起部４７が下方へ向けて形成され、支持テーブル３４には、突起部４７の軸受けとなる軸受け孔４８が形成されている。支持テーブル３４がデジタルカメラ１１の内部に固定されているので、突起部４７が軸受け孔４８に回動自在に組み込まれることより、発光部３２は、図６（Ａ）及び図６（Ｂ）に示すように、集光レンズ４０が左右に傾く向きに揺動自在である。
【００３０】
突起部４７の先端には、ピニオン４９が取り付けられ、支持テーブル３４の下面には、ピニオン５０が取り付けられたステッピングモータ３６が設けられている。ピニオン４９及び５０は、動力伝達部３８を構成し、互いに噛み合うことで、ステッピングモータ３６の動力を回転テーブル３３に伝達する。これにより、発光部３２は、ステッピングモータ３６の駆動に応じて、集光レンズ４０が左右に傾く向きに揺動する。なお、ステッピングモータ３６の駆動は、顔抽出回路９６（図７参照）の処理結果に基づく。
【００３１】
デジタルカメラ１１には、図７に示すように、固定レンズ５５、ズームレンズ５６、絞り５７、フォーカスレンズ５８、及びＣＣＤイメージセンサ５９が設けられている。ズームレンズ５６は、変倍用レンズモータ６０の駆動によって変倍する。絞り５７は、アイリスモータ６１の駆動によって口径を変える。フォーカスレンズ５８は、合焦用レンズモータ６２の駆動によってピントを調整する。これらのモータ６０〜６２は、ＣＰＵ６３に接続されたモータドライバ６４〜６６を介して駆動が制御される。なお、上述した撮影レンズ１２（図１参照）は、固定レンズ５５、ズームレンズ５６、絞り５７、及びフォーカスレンズ５８によって構成される。
【００３２】
ＣＣＤイメージセンサ５９は、撮影レンズ１２により結像する被写体像を撮像する。ＣＣＤイメージセンサ５９には、ＣＰＵ６３によって制御されるタイミングジェネレータ（ＴＧ）６７が接続され、このＴＧ６７から入力されるタイミング信号（クロックパルス）により、電子シャッタのシャッタ速度が決定される。
【００３３】
ＣＣＤイメージセンサ５９から得られる撮像信号は、ＣＤＳ（相関二重サンプリング回路）６８、ＡＰＭ（増幅器）６９に入力される。ＣＤＳ６８は、ＣＣＤイメージセンサ５９の各セルの蓄積電荷量に正確に対応したＲ，Ｇ，Ｂの画像データを出力し、ＡＰＭ６９は、画像データを増幅する。増幅された画像データは、Ａ／Ｄ変換器７０でデジタル信号に変換される。
【００３４】
画像入力コントローラ７１は、データバス７２を介してＣＰＵ５９に接続され、ＣＰＵ５９の制御命令に応じてＣＣＤイメージセンサ５９、ＣＤＳ６８、ＡＭＰ６９、及びＡ／Ｄ変換器７０を制御する。Ａ／Ｄ変換器７０から出力される画像データは、所定間隔毎に出力され、メモリ７３に格納される。メモリ７３には、画像データを格納する画像用メモリが設けられている。画像用メモリから読み出された画像データは、ＬＣＤドライバ７４に送られてＬＣＤ２１にスルー画像として表示される。なお、メモリ７３には、画像用メモリの他に、ワーク用メモリも設けられている。
【００３５】
画像信号処理回路７６は、階調変換、ホワイトバランス（ＷＢ）補正、γ補正などの各種処理を画像データに施す。画像信号処理回路７６で各種処理を施された画像データは、ＹＣ変換処理回路７７により輝度信号Ｙと色差信号Ｃｒ，Ｃｂとに変換される。圧縮伸長処理回路７８は、この変換された画像データに対して、所定の圧縮形式（例えば、ＪＰＥＧ形式）で画像圧縮を施す。圧縮された画像データは、メディアコントローラ７９を経由して記録媒体であるメモリカード８０に記録される。再生モードのときには、メモリカード８０から画像データが圧縮伸長処理回路７８に読み出され、圧縮伸長処理回路７８で伸長処理が施された後にＬＣＤ２１に記録画像が表示される。
【００３６】
ＣＰＵ６３には、上述した操作部１６，１７，１８，２２，２３，２４、フラッシュ発光部８６の他に、補助光発光ユニット３１を駆動するドライバ８７〜８９や、ＲＯＭ９０などが接続されている。モータドライバ８７は、ステッピングモータ３５の駆動を制御し、集光レンズ４０が上下方向に傾く向きに発光部３２を揺動させる（図５（Ａ）、図５（Ｂ）参照）。一方、モータドライバ８８は、ステッピングモータ３６の駆動を制御し、集光レンズ４０が左右方向に傾く向きに発光部３２を揺動させる（図６（Ａ）、図６（Ｂ）参照）。また、ＬＥＤドライバ８９は、ＬＥＤ９１から補助光を発させる。なお、撮影モードでは、シャッタボタン１７の半押し操作に伴って、補助光が発される。
【００３７】
ＲＯＭ９０には、各種制御用のプログラムや設定情報などが記録されている。ＣＰＵ６３は、これらの情報をＲＯＭ９０からメモリ７３に読み出して、各種処理を実行する。
【００３８】
データバス７２には、ＬＣＤ２１に表示されるスルー画像（画像）から顔領域を抽出する顔抽出回路９６と、ズームレンズ５６の合焦位置が適切か否かを検出するＡＦ検出回路（焦点調節手段）９７と、ＣＣＤイメージセンサ５９の電子シャッタのシャッタ速度、撮影感度、及び絞り５７の絞り値といった露光条件が撮影に適切か否かを検出するＡＥ検出回路９８と、ホワイトバランス補正が撮影に適切か否かを検出するＡＷＢ検出回路９９とが接続されている。各回路９６〜９９は、データバス７２を介してＣＰＵ６３に処理結果を逐次送信する。ＣＰＵ６３は、各回路９６〜９９から送信される処理結果に基づいて、補助光発光ユニット３１、ズームレンズ５６、絞り５７、フォーカスレンズ２６、ＣＣＤイメージセンサ５９などの動作を個別に制御する。
【００３９】
顔抽出回路９６は、例えば、boostingと呼ばれるアルゴリズムを採用したパターン認識によって画像から顔領域を抽出する。なお、撮影モードでは、シャッタボタン１７の半押し操作に伴って、顔領域の抽出が行われる。ＣＰＵ６３は、抽出された顔領域に基づき、モータドライバ８７，８８を介してステッピングモータ３５，３６を駆動する。ステッピングモータ３５，３６の駆動により、ＬＥＤ９１の補助光照射方向は、被写体の顔に向く。
【００４０】
なお、補助光を照射する顔の部位は、メニューモードにおいて予め設定される。図８に示すように、照射部位の設定の際には、ＬＣＤ２１に人物アイコン１０１及びカーソル１０２が表示される。十字ボタン２３の押圧操作によってカーソル１０２が移動して、決定ボタン２４の押圧操作によってカーソル１０２の位置に照射部位が決定する。
【００４１】
図７に示すように、ＡＦ検出回路９７は、コントラスト検出方式によりフォーカス制御を行う。コントラスト検出方式では、画像の合焦状態を評価するために設定された合焦評価領域（ＡＦエリア）に基づいてメモリ７３から合焦評価領域の画像成分を抽出する。なお、顔抽出回路９６で顔領域が抽出された場合には、顔領域が合焦評価領域となる。そして、抽出した画像成分に基づいて画像のコントラスト値を求める。さらに、そのコントラスト値に基づいて被写体までの撮影距離を算出して合焦状態を判定し、フォーカスレンズ５８の合焦位置を決定する。なお、撮影モードでは、シャッタボタン１７の半押し操作に伴って、コントラスト検出方式によるフォーカス制御が行われる。
【００４２】
ＡＥ・ＡＷＢ検出回路９８，９９は、所定間隔毎にメモリ７３に格納された画像データの輝度情報に基づいて適正な露光値、及びホワイトバランスの補正量を算出し、これらの情報をＣＰＵ６３に送る。ＣＰＵ６３は、得られる情報に基づいて電子シャッタ、絞り５７、及び画像処理の制御を連続的に行う。
【００４３】
以下、上記実施形態のデジタルカメラ１１（図１、図２参照）の作用について図面を参照しながら説明する。撮影を実行する場合には、先ず、電源ボタン１６を押圧操作して電源をＯＮにするとともに、機能モードダイヤル１８のつまみを切り替えて撮影モードを選択する。電源がＯＮとなり、撮影モードが選択されると、ＬＣＤ２１には、スルー画像が表示される。ユーザは、ＬＣＤ２１に表示されるスルー画像を見ながらシャッタボタン１７を半押し操作する。シャッタボタン１７の半押し操作により、顔抽出回路９６は、画像から顔領域の抽出を開始する。
【００４４】
図９に示すような、一人の被写体を撮影する場合には、図１０に示すように、画像から顔領域が抽出される。ＣＰＵ６３は、モータドライバ８７，８８を介してステッピングモータ３５，３６を駆動し、ＬＥＤ９１の補助光照射方向を被写体の顔に向けるとともに、ＬＥＤドライバ８９を介してＬＥＤ９１から補助光を発させる。補助光は、被写体の顔に照射され、顔領域とその周りとのコントラストを高める。
【００４５】
ＡＦ検出回路９７は、周りとのコントラストが高められた顔領域を合焦評価領域としてフォーカス制御を行い、フォーカスレンズ５８の合焦位置を決定する。ＣＰＵ６３は、ＡＦ検出回路９７によって決定した合焦位置に基づいて、モータドライバ６６を介して合焦用レンズモータ６２を駆動してフォーカスレンズ５８を合焦位置に移動させ、ピントを調整する。
【００４６】
そして、シャッタボタン１７の全押し操作により、撮影が実行され、デジタルデータが記憶される。
【００４７】
図１１に示すような、夜間や暗い場所など被写体輝度が全体的に低くなり被写体自体が低コントラストとなる条件下で撮影する場合には、図１２に示すように、画像から顔領域が抽出されないこともある。画像から顔領域が抽出されないときには、ＣＰＵ６３は、ＬＥＤドライバ８９を介してＬＥＤ９１から補助光を撮影範囲の中心に向けて発させる。補助光が照射されることで被写体輝度が全体的に高められ、画像から顔領域が抽出されることもある。なお、補助光の照射方向は、撮影範囲の中心方向に限定されず、例えば、撮影範囲の中心より上方であっても良い。画像から顔領域が抽出されたときには、ＣＰＵ６３は、モータドライバ８７，８８を介してステッピングモータ３５，３６を駆動し、ＬＥＤ９１の補助光照射方向を被写体の顔に向けるとともに、ＬＥＤドライバ８９を介してＬＥＤ９１から補助光を再度発させる。補助光は、被写体の顔に照射され、顔領域とその周りとのコントラストを高める。
【００４８】
ＡＦ検出回路９７は、周りとのコントラストが高められた顔領域を合焦評価領域としてフォーカス制御を行い、フォーカスレンズ５８の合焦位置を決定する。ＣＰＵ６３は、ＡＦ検出回路９７によって決定した合焦位置に基づいて、モータドライバ６６を介して合焦レンズモータ６２を駆動してフォーカスレンズ５８を合焦位置に移動させ、ピントを調整する。
【００４９】
そして、シャッタボタン１７の全押し操作により、撮影が実行され、デジタルデータが記憶される。
【００５０】
図１３に示すような、複数人の被写体を撮影する場合には、図１４に示すように、画像から複数の顔領域が抽出される。ユーザは、ＬＣＤ２１に表示されるスルー画像を見ながら十字ボタン２３及び決定ボタン２４を操作することによって抽出された顔領域を択一的に選択する。顔領域が択一的に選択されると、ＣＰＵ６３は、モータドライバ８７，８８を介してステッピングモータ３５，３６を駆動し、ＬＥＤ９１の補助光照射方向を選択された被写体の顔に向けるとともに、ＬＥＤドライバ８９を介してＬＥＤ９１から補助光を発させる。補助光は、選択された被写体の顔に照射され、選択された顔領域とその周りとのコントラストを高める。
【００５１】
ＡＦ検出回路９７は、周りとのコントラストが高められた顔領域を合焦評価領域としてフォーカス制御を行い、フォーカスレンズ５８の合焦位置を決定する。ＣＰＵ６３は、ＡＦ検出回路９７によって決定した合焦位置に基づいて、モータドライバ６６を介して合焦用レンズモータ６２を駆動してフォーカスレンズ５８を合焦位置に移動させ、ピントを調整する。
【００５２】
そして、シャッタボタン１７の全押し操作により、撮影が実行され、デジタルデータが記憶される。
【００５３】
図１５に示すような、動く被写体を撮影する場合には、図１６に示すように、画像から顔領域が抽出される。ＣＰＵ６３は、モータドライバ８７，８８を介してステッピングモータ３５，３６を駆動し、ＬＥＤ９１の補助光照射方向を被写体の顔に向けるとともに、ＬＥＤドライバ８９を介してＬＥＤ９１から補助光を発させる。補助光は、被写体の顔に照射され、顔領域とその周りとのコントラストを高める。
【００５４】
ＡＦ検出回路９７は、周りとのコントラストが高められた顔領域を合焦評価領域としてフォーカス制御を行い、フォーカスレンズ５８の合焦位置を決定する。ＣＰＵ６３は、ＡＦ検出回路９７によって決定した合焦位置に基づいて、モータドライバ６６を介して合焦用レンズモータ６２を駆動してフォーカスレンズ５８を合焦位置に移動させ、ピントを調整する。
【００５５】
しかしながら、顔領域の位置が移動している場合には、フォーカスレンズ５８の合焦位置が変化していることもある。合焦位置が変化しているときには、ピントの調整がうまくいかない。よって、顔領域の位置が移動している場合には、ＣＰＵ６３は、モータドライバ８７，８８を介してステッピングモータ３５，３６を再度駆動し、ＬＥＤ９１の補助光照射方向を移動後の被写体の顔に向けるとともに、ＬＥＤドライバ８９を介してＬＥＤ９１から補助光を再度発させる。補助光は、移動後の被写体の顔に照射され、顔領域とその周りとのコントラストを高める。
【００５６】
また、ＡＦ検出回路９７は、移動後の顔領域に基づいてフォーカス制御を行い、フォーカスレンズ５８の合焦位置を決定する。ＣＰＵ６３は、ＡＦ検出回路９７によって再度決定した合焦位置に基づいて、モータドライバ６６を介して合焦用レンズモータ６２を駆動してフォーカスレンズ５８を合焦位置に移動させ、ピントを調整する。
【００５７】
そして、シャッタボタン１７の全押し操作により、撮影が実行され、デジタルデータが記憶される。
【図面の簡単な説明】
【００５８】
【図１】デジタルカメラの外観斜視図である。
【図２】デジタルカメラの背面図である。
【図３】補助光発光ユニットの外観斜視図である。
【図４】補助光発光ユニットの正面図である。
【図５】補助光照射方向の変更を説明する補助光発光ユニットの側面図である。
【図６】補助光照射方向の変更を説明する補助光発光ユニットの上面図である。
【図７】デジタルカメラの電気的構成を示すブロック図である。
【図８】補助光照射部位の設定を説明するデジタルカメラの背面図である。
【図９】スルー画像を説明する図である。
【図１０】デジタルカメラの作用を説明するフローチャートである。
【図１１】スルー画像を説明する図である。
【図１２】デジタルカメラの作用を説明するフローチャートである。
【図１３】スルー画像を説明する図である。
【図１４】デジタルカメラの作用を説明するフローチャートである。
【図１５】スルー画像を説明する図である。
【図１６】デジタルカメラの作用を説明するフローチャートである。
【符号の説明】
【００５９】
１１  デジタルカメラ
１２  撮影レンズ
１３  レンズ鏡筒
１４  フラッシュ窓
１５  補助光窓
１６  電源ボタン
１７  シャッタボタン
１８  機能モードダイヤル
１９  鏡筒収納部
２１  液晶表示部（ＬＣＤ）
２２  ズームボタン
２３  十字ボタン
２４  決定ボタン
３１  補助光発光ユニット
３２  発光部
３３  回転テーブル
３４  支持テーブル
３５，３６  ステッピングモータ
３７，３８  動力伝達部
３９  筐体
４０  集光レンズ
４１，４２  突起部
４３，４４  軸受け部
４３ａ，４４ａ  軸受け孔
４５，４６  ピニオン
４７  突起部
４８  軸受け孔
４９，５０  ピニオン
５６  ズームレンズ
５７  絞り
５８  フォーカスレンズ
５９  ＣＣＤイメージセンサ
６０  変倍用レンズモータ
６１  アイリスモータ
６２  合焦用モータ
６３  ＣＰＵ
６４〜６６  モータドライバ
６７  タイミングジェネレータ（ＴＧ）
６８  ＣＤＳ（相関二重サンプリング回路）
６９  ＡＭＰ（増幅器）
７０  Ａ／Ｄ変換器
７１  画像入力コントローラ
７２  データバス
７３  メモリ
７４  ＬＣＤドライバ
７６  画像信号処理回路
７７  ＹＣ変換処理回路
７８  圧縮伸長処理回路
７９  メディアコントローラ
８０  メモリカード
８６  フラッシュ発光部
８７，８８  モータドライバ
８９  ＬＥＤドライバ
９０  ＲＯＭ
９１  ＬＥＤ
９６  顔抽出回路
９７  ＡＦ検出回路
９８  ＡＥ検出回路
９９  ＡＷＢ検出回路
１０１  人物アイコン
１０２  カーソル
【図１】
2008216828.tif 000003
【図２】
2008216828.tif 000004
【図３】
2008216828.tif 000005
【図４】
2008216828.tif 000006
【図５】
2008216828.tif 000007
【図６】
2008216828.tif 000008
【図７】
2008216828.tif 000009
【図８】
2008216828.tif 000010
【図９】
2008216828.tif 000011
【図１０】
2008216828.tif 000012
【図１１】
2008216828.tif 000013
【図１２】
2008216828.tif 000014
【図１３】
2008216828.tif 000015
【図１４】
2008216828.tif 000016
【図１５】
2008216828.tif 000017
【図１６】
2008216828.tif 000018